(57)【要約】【課題】元弁３がゴミ咬み等により開弁したままの状態で閉弁できなくなる、いわゆる開弁故障が生じる場合がある。元弁３に開弁故障が生じると、各ガスバーナが作動していない状態でガスバーナへのガスの供給を遮断するのは電磁安全弁５のみとなる。このようにガスの遮断が電磁安全弁５のみの１段で行われると、次に電磁安全弁５に開弁故障が生じた場合にガスバーナからのガスの漏出を止めることができなくなるので、元弁３に開弁故障が生じた場合には速やかに開弁故障を検知する必要がある。【解決手段】複数のガスバーナの内のいずれか１個のみが点火されている状態で、その点火されているガスバーナに対して消火操作がされた場合に、先に元弁３を閉弁し、その後消火を確認するための計測時間が経過した後に電磁安全弁３を閉鎖するようにした。【選択図】  図２
2010014336.tif 000002
【特許請求の範囲】
【請求項１】
１個の電磁開閉式の元弁を介してガス供給源に並列に接続される複数のガスバーナを備え、各ガスバーナにガスを供給するガス分岐管を設けて、制御ユニットからの信号により少なくともガス分岐管を開通状態から閉鎖することによってガスバーナへのガスの供給を停止する消火手段を各ガス分岐管に介設すると共に、各バーナに炎を検知する火炎検知センサを配設すると共に、制御ユニットにはガスバーナにガスの供給を停止した時点から消火したことを火炎検知センサからの出力信号から判断するための所定の計測時間が予め設定されているガスコンロにおいて、上記複数のガスバーナの内のいずれか１個のみが点火されている状態で、その点火されているガスバーナに対して消火操作がされた場合に、上記制御ユニットは先に元弁に対して閉弁信号を出力すると共に、閉弁信号を出力した時点から上記計測時間が経過した時点でガスバーナが消火されていないと判断すると、元弁に開弁故障が発生したと判断する開弁故障判断手段を備えたこと特徴とするガスコンロ。
【請求項２】
上記開弁故障判断手段が開弁故障が発生したと判断すると、消火手段により全てのガス分岐管の閉鎖を確保すると共に、その後、消火手段によるガス分岐管の開通を全て禁止する機能停止手段を備えたことを特徴とする請求項１に記載のガスコンロ。
【発明の詳細な説明】
【技術分野】
【０００１】
本発明は、１個の元弁を介してガスが供給される複数のガスバーナを備えたガスコンロに関する。
【背景技術】
【０００２】
ガスコンロには上面に複数のガスバーナが設けられ、また前面から出し入れできるグリル庫を備えている場合には、グリル庫内にグリル用のガスバーナが取り付けられている。このようなガスコンロでは各バーナには元弁を介してガス供給源からガスが供給される。各ガスバーナには個別にガスを供給する必要があるため、元弁の下流で各バーナにガスを供給するガス分岐管が互いに並設に接続されている。そして、各ガスバーナへのガス分岐管を開閉し、また供給するガス量を増減して火力を調節するための火力調節ユニットが各ガス分岐管に介設されている（例えば、特許文献１参照）。
【０００３】
この火力調節ユニットには火力を調節する火力調節部に直列に電磁安全弁を設けている。この電磁安全弁は制御ユニットにより点火状態で開弁保持されるものであり、消火操作がされると制御ユニットは電磁安全弁を閉弁させてガスバーナへのガスの供給を停止する。
【特許文献１】特開２００６−１８９２３１号公報（図２）
【発明の開示】
【発明が解決しようとする課題】
【０００４】
上記構成で、元弁がゴミ咬み等により開弁したままの状態で弁体が固定され閉弁できなくなる、いわゆる開弁故障が生じる場合がある。元弁に開弁故障が生じると、各ガスバーナが消火時にガスバーナへのガスの供給を遮断するのは電磁安全弁のみとなる。このようにガスの遮断が電磁安全弁のみの１段で行われると、次に電磁安全弁に開弁故障が生じた場合にガスバーナからのガスの漏出を止めることができなくなるので、元弁に開弁故障が生じた場合には速やかに修理する必要がある。
【０００５】
そこで本発明は、上記の問題点に鑑み、元弁に開弁故障が生じたことをいち早く検知することのできるガスコンロを提供することを課題とする。
【課題を解決するための手段】
【０００６】
上記課題を解決するために本発明によるガスコンロは、１個の電磁開閉式の元弁を介してガス供給源に並列に接続される複数のガスバーナを備え、各ガスバーナにガスを供給するガス分岐管を設けて、制御ユニットからの信号により少なくともガス分岐管を開通状態から閉鎖することによってガスバーナへのガスの供給を停止する消火手段を各ガス分岐管に介設すると共に、各バーナに炎を検知する火炎検知センサを配設すると共に、制御ユニットにはガスバーナにガスの供給を停止した時点から消火したことを火炎検知センサからの出力信号から判断するための所定の計測時間が予め設定されているガスコンロにおいて、上記複数のガスバーナの内のいずれか１個のみが点火されている状態で、その点火されているガスバーナに対して消火操作がされた場合に、上記制御ユニットは先に元弁に対して閉弁信号を出力すると共に、閉弁信号を出力した時点から上記計測時間が経過した時点でガスバーナが消火されていないと判断すると、元弁に開弁故障が発生したと判断する開弁故障判断手段を備えたこと特徴とする。
【０００７】
元弁に開弁故障が生じていなくて正常に元弁が閉弁したならば元弁が閉弁した時点でガスバーナは消火する。したがって、元弁に対して閉弁信号を出力した時点から計測時間が経過すれば、制御ユニットはガスバーナが消火したことから元弁が正常に閉弁したことを検知することができる。一方、元弁に開弁故障が生じて閉弁しなかった場合には、計測時間が経過してもガスバーナが消火していないことから元弁が閉弁できなかったことを開弁故障判断手段によって検知することができる。
【０００８】
なお、各ガスバーナは消火手段でガスを遮断できるので、元弁が開弁故障しても直ちにガスバーナからガスが漏出するわけではないが、上記元弁に閉弁信号を出力した時点から計測時間が経過した時点で制御ユニットがガスバーナの消火を確認できない場合に、消火手段により全てのガス分岐管の閉鎖を確保し、その後、消火手段によるガス分岐管の開通を全て禁止する機能停止手段を備え、元弁が修理されるまでガスコンロの使用を禁止することが望ましい。
【発明の効果】
【０００９】
以上の説明から明らかなように、本発明は、ガスコンロを通常使用している状態で、いずれか１個のガスバーナのみを使用しており、そのガスバーナを消火するときに元弁の開弁故障の有無をチェックするので、万一元弁が開弁故障したとしても直ちに検知することができる。
【発明を実施するための最良の形態】
【００１０】
図１を参照して、１は本発明によるガスコンロの一例である。このガスコンロ１には上面に２機の大バーナ１１および中バーナ１２が設けられており、また前面から出し入れできるグリル庫１３内にグリル用のガスバーナ（上火バーナと下火バーナの１対）が設けられている。また、前面には電源スイッチ１０の他、各バーナの点消火および火力調節を行うダイヤル１１ａ、１２ａ、１３ａが設けられている。例えば、中バーナ１２に点火する際には、ダイヤル１２ａを押し操作することにより点火操作を行い、中バーナ１２に点火を行う。そして、ダイヤル１２ａを左右に回すことにより火力調節を行い、再度ダイヤル１２ａを押し操作することにより中バーナ１２を消火する。
【００１１】
図２に示すように、各バーナには電磁式開閉弁である元弁３を介して大バーナ１１および中バーナ１２、そしてグリル庫１３の両バーナに対してガスを分岐する分岐管３１が互いに並列に設けられている。そして、各分岐管３１には火力調節ユニット２が介設されている。
【００１２】
この火力調節ユニット２には制御ユニット６からの信号により駆動されるモータによって開度を調節する火力調節部４と、その火力調節部４の上流側に直列に設けられた電磁安全弁５とが内蔵されている。この電磁安全弁５は火力調節用のモータによって開弁されるが、ガスバーナの点火中は制御ユニット６から供給される電力によって開弁保持される。
【００１３】
また、各バーナには点火状態での着火を検知する火炎センサである熱電対１５が取り付けられている。そして、これら各熱電対１５からの出力信号は個別に制御ユニット６に入力される。
【００１４】
また、各バーナには点火手段である点火プラグ１６が各々設けられている。これら各点火プラグ１６の作動は制御ユニット６によって制御されるが、いずれか１個のバーナに点火する際でも全ての点火プラグ１６が作動して各バーナとの間に火花放電を生じさせるように構成されている。
【００１５】
これら各ガスバーナのうち、複数個のガスバーナを使用している状態では、元弁は開弁したままの状態であり、点火中のガスバーナの内のいずれかに対して消火操作がされると、その消火操作がされたガスバーナに対して設けられている電磁安全弁５が閉弁することによりガスバーナを消火させる。点火中であれば熱電対１５は炎に継続して加熱されているので、出力値である熱起電力は高いレベルを維持している。
【００１６】
図３を参照して、ガスバーナが消火すると熱電対１５を加熱していた炎が消失するので、出力される熱起電力は急速に低下する。その熱起電力の減少を曲線Ｒに示した。熱電対１５は熱容量を持っており、消火すると熱起電力は急速に減少するものの瞬時に室温レベルまで下がるわけではない。
【００１７】
所定の閾値Ｖを予め設定しておき、消火した瞬間から所定の計測時間ｔが経過するまでに熱電対１５から出力される熱起電力が、この閾値Ｖを下回ったら消火したものと制御ユニット６が判断するように設定されている。
【００１８】
さて、例えば中バーナ１２のみが使用中であり、他のバーナは全て消火している状態で、中バーナ１２を消火するための消火操作が行われると、他のガスバーナが使用中であれば電磁安全弁５を閉弁させるが、この場合には先に元弁３を閉弁させることとした。元弁３を閉弁させても中バーナ１２は消火されるので、中バーナ１２に取り付けた熱電対１５からの熱起電力は図３の曲線Ｒに示すように低下する。そして、計測時間ｔが経過し、中バーナ１２の消火が確認できる状態になってから電磁安全弁５を閉弁させるようにした。
【００１９】
ここで、万一元弁３に開弁故障が生じていると、計測時間ｔが経過しても熱起電力は高いレベルで出力され続けているため、制御ユニット６は元弁３に開弁故障が生じたものと判断する。なお、元弁３に開弁故障が生じていても計測時間ｔが経過すると電磁安全弁５を閉弁させるので中バーナ１２は安全に消火される。
【００２０】
そして、元弁３に開弁故障が生じたと制御ユニット６が判断すると、それ以降、ガスコンロ１の使用を禁止する。すなわち、いずれのガスバーナに対しても点火操作がされても火力調節ユニット２のモータを作動させないようにする。そして、エラー表示や警告音を発音させ、元弁３に開弁故障が生じたことを知らしめ、修理を促すようにすることが望ましい。
【００２１】
なお、本発明は上記した形態に限定されるものではなく、本発明の要旨を逸脱しない範囲内において種々の変更を加えてもかまわない。
【図面の簡単な説明】
【００２２】
【図１】本発明の一実施の形態の構成を示す図
【図２】ガスコンロ内の配管状態を示すブロック図
【図３】熱起電力の変化状態を示す図
【符号の説明】
【００２３】
１ ガスコンロ
２ 火力調節ユニット
３ 元弁
４ 火力調節部
５ 電磁安全弁
６ 制御ユニット
１５ 熱電対
【図１】
2010014336.tif 000003
【図２】
2010014336.tif 000004
【図３】
2010014336.tif 000005